(57)【要約】【課題】ＰＰを含む合成樹脂製のシートにより成形した断熱カップを廉価にて生産、提供する。【解決手段】開口部１１が形成された樹脂製のインナーカップ１０と、インナーカップの胴部に被装するスリーブ５０とを備えている。インナーカップの胴部外周にエンボス部１３を形成し、エンボス部を、凸状菱形部１４を構成単位面とする複数個の同一形状の凸状菱形部を連続することによりインナーカップ胴部外周に隆起したパターンとして形成する。スリーブをインナーカップに被装した状態でインナーカップの胴部外周とスリーブの胴部内周との間に空隙部１６を形成する。【選択図】図２
2015081144.tif 000002
【特許請求の範囲】
【請求項１】
開口部が形成された樹脂製のインナーカップと、該インナーカップの胴部に被装するスリーブとを備えた断熱カップであって、
前記インナーカップの胴部外周にエンボス部を形成し、該エンボス部を、凸状菱形部を構成単位面とする複数個の同一形状の凸状菱形部を連続することにより前記インナーカップ胴部外周に隆起したパターンとして形成し、
前記スリーブを前記インナーカップに被装した状態で前記インナーカップの胴部外周と前記スリーブの胴部内周との間に空隙部を形成したことを特徴とする断熱カップ。
【請求項２】
開口部が形成された樹脂製のインナーカップと、該インナーカップの胴部に被装するスリーブとを備えた断熱カップであって、
前記スリーブは前記インナーカップに板紙層を巻装することにより形成され、
前記スリーブの下端部を内側に折り込み接着剤を配して一体化させて前記スリーブに折込み部を形成し、
該折込み部の内周に前記インナーカップの側面下端外周を当接係合させ、
前記折込み部の内周と前記インナーカップの側面下端外周が当接係合した状態で前記折込み部によりカップの糸尻が形成され、
前記スリーブを前記インナーカップに被装した状態で前記インナーカップの胴部外周と前記スリーブの胴部内周との間に空隙部を形成したことを特徴とする断熱カップ。
【請求項３】
前記スリーブは前記インナーカップに板紙層を巻装することにより形成され、
前記スリーブの下端部を内側に折り込み接着剤を配して一体化させて前記スリーブに折込み部を形成し、
該折込み部の内周に前記インナーカップの側面下端外周を当接係合させ、
前記折込み部の内周と前記インナーカップの側面下端外周が当接係合した状態で前記折込み部によりカップの糸尻が形成されていることを特徴とする請求項１に記載の断熱カップ。
【請求項４】
さらに、外装シュリンクフィルムによりカップ全体が被着されていることを特徴とする請求項１ないし３いずれか一項に記載の断熱カップ。
【請求項５】
前記凸状菱形部が、中央に頂部を備えていることを特徴とする請求項１，３，４いずれか一項に記載の断熱カップ。
【請求項６】
前記インナーカップが、単層ないし２層以上の熱可塑性樹脂シートにより成形されていることを特徴とする請求項１ないし５いずれか一項に記載の断熱カップ。
【発明の詳細な説明】
【技術分野】
【０００１】本発明は、断熱カップに関するものである。
【背景技術】
【０００２】従来、ラーメン等の即席食品を包装するための容器として
（１）ポリスチレンペーパー（ＰＳＰ）製カップ
（２）紙製カップ
（３）ポリプロピレン（ＰＰ）製シート成形カップ
等が提案されている。【０００３】ＰＳＰ製カップにあっては、断熱性には優れるものの防湿性、バリヤー性の点で充分ではなく、紙製カップにあっては、断熱性、防湿性、移り香遮断性の点で問題があった。また、ＰＰ製シート成形カップにあっては、防湿性、移り香遮断性の点で優れているものの、紙カップ同様断熱性に問題があった。【０００４】ところで、近年、地球温暖化や消費者の品質意識の向上などから、即席食品を保存するための断熱カップには食品在庫期間中の防湿対策が求められており、防湿性に優れるＰＰ製シート成形カップの必要性が高まっている【０００５】同時に、即席食品容器は、通例、手で胴部を持って、或いは底部に指を掛け持ちながら食べることが多く、胴部や底部の断熱性も必要な要素となっている。【０００６】また、販売時の防塵、防湿を目的に外装シュリンクフィルムが施されるが、このシュリンクフィルムを破る際、シュリンクフィルムが容器に密着していると破ることが困難となるため、容器底部に糸尻を形成して糸尻の高さを利用し指で破ることが有効とされている（４ｍｍ以上が好ましい）【０００７】以上の観点より、即席食品向け容器には防湿性や移り香遮断性に優れたＰＰ製シート成形カップで、胴部及び底部に高温のお湯に対応した断熱性を備え、且つ底部に高い糸尻を備えたものの必要性が生じている。【０００８】ＰＰ製シート成形カップの胴部の断熱構造として、ＰＰ製インナーカップと板紙製スリーブの中間層にコルゲート加工紙やエンボス加工紙を配したものが提案されている。（特許文献１）【０００９】また、ＰＰ製シート成形カップの底部の断熱構造としてＰＰ製インナーカップ本体の形状により糸尻を形成しているものが提案されている。（特許文献２）
【先行技術文献】
【００１０】
【特許文献１】特開平７−８１００５
【特許文献２】特開２００８−２３９１６０
【発明の概要】
【発明が解決しようとする課題】
【００１１】しかしながら、コルゲート加工紙層やエンボス加工紙層を有する断熱カップにあっては、その構造の複雑さから低速での生産に限られ、また材料費も上乗せとなることにより、断熱カップを廉価に生産できないという問題点があった。【００１２】加えて、ＰＰ製インナーカップ本体の形状により糸尻を形成するには、その形状の複雑さから金型代が高価である、生産速度が上がらない、原料の使用量が増えるなどの制約から断熱カップを廉価に生産できないという問題点があった。【００１３】したがって、本発明は上記事情に鑑みてなされたものであり、本発明の目的はＰＰを含む合成樹脂製のシート（以下、「ＰＰ系シート」という。）により成形した断熱カップを廉価にて生産、提供することにある。【００１４】本発明の他の目的は、容器の断熱性が高い断熱カップを提供することにある。【００１５】本発明のもう一つ他の目的は、圧縮強度（座屈強度）の高い断熱カップを提供することにある。【００１６】本発明のもう一つ他の目的は、断熱カップの外周面への印刷による表現の制約がなく、販売者、内容物などの食品表示や商品のアピールなどの点で優れた断熱カップを提供することにある。【００１７】本発明のさらにもう一つ他の目的は、利用者がカップの胴部、糸尻のいずれを持っても触れる手に熱さを感じさせない断熱カップを提供することにある。【００１８】本発明のさらにもう一つ他の目的は、外装シュリンクフィルムによりカップ全体が被着される場合に、外装シュリンクフィルムを破り取ることが容易な開封性に優れた断熱カップを提供することにある。
【課題を解決するための手段】
【００１９】本発明に係る断熱カップは、開口部が形成された樹脂製のインナーカップと、該インナーカップの胴部に被装するスリーブとを備えた断熱カップであって、前記インナーカップの胴部外周にエンボス部を形成し、該エンボス部を、凸状菱形部を構成単位面とする複数個の同一形状の凸状菱形部を連続することにより前記インナーカップ胴部外周に隆起したパターンとして形成し、前記スリーブを前記インナーカップに被装した状態で前記インナーカップの胴部外周と前記スリーブの胴部内周との間に空隙部を形成したことを特徴としている。【００２０】前記スリーブを前記インナーカップに板紙層を巻装することにより形成し、前記スリーブの下端部を内側に折り込み接着剤を配して一体化させて前記スリーブに折込み部を形成し、該折込み部の内周に前記インナーカップの側面下端外周を当接係合させ、前記折込み部の内周と前記インナーカップの側面下端外周が当接係合した状態で前記折込み部によりカップに糸尻を形成することが好適である。【００２１】さらに、カップ全体を外装シュリンクフィルムにより被着することが好適である。【００２２】前記凸状菱形部は、中央に頂部が形成され、手で断熱カップの胴部を持つと頂部を備えた前記インナーカップの当該胴部外周と前記スリーブの胴部内周とは点接触し、前記インナーカップより前記スリーブへの熱伝導を少なく抑えこみ断熱に寄与する構成とすることが好適である。【００２３】前記インナーカップは、単層ないし２層以上の熱可塑性樹脂シートにより成形することができ、２層以上の積層構造、例えば、最内層、中間層、最外層を持った３層構造に成形することもできる。この場合、素材となる樹脂シートとしてＰＰ製フィラーシート（ポリプロピレン樹脂とポリエチレン（ＰＥ）のブレンド品に２０〜３０％のケイ酸マグネシウムを混入させた中間層と、表裏両層にポリプロピレンとポリエチレンのブレンドの層を有する三層構造のシート）を用いることができる。【００２４】本発明に係る断熱カップは、開口部が形成された樹脂製のインナーカップと、該インナーカップの胴部に被装するスリーブとを備えた断熱カップであって、前記スリーブは前記インナーカップに板紙層を巻装することにより形成され、前記スリーブの下端部を内側に折り込み接着剤を配して一体化させて前記スリーブに折込み部を形成し、該折込み部の内周に前記インナーカップの側面下端外周を当接係合させ、前記折込み部の内周と前記インナーカップの側面下端外周が当接係合した状態で前記折込み部によりカップに糸尻が形成され、前記スリーブを前記インナーカップに被装した状態で前記インナーカップの胴部外周と前記スリーブの胴部内周との間に空隙部を形成したことを特徴とする断熱カップとすることもできる。
【発明の効果】
【００２５】上記構成を備えた本発明によれば、次ぎの効果を奏する。
（１）ＰＰ系シートにより成形したインナーカップの形状を簡易なコップ形状とすることができ、金型代が安価、成型速度の向上、及び原材料使用量の削減などで廉価に生産できる断熱カップが得られる。
（２）容器の断熱性が高い断熱カップが得られる。
（３）圧縮強度（座屈強度）が高く、例えば、倉庫保管時のパレット段積みによるカップの変形を生じにくい断熱カップが得られる。
（４）断熱カップの外周面への印刷による表現の制約がなく、販売者、内容物などの食品表示や商品のアピールなどの点で優れた断熱カップが得られる。
（５）利用者がカップの胴部、糸尻のいずれを持っても触れる手に熱さを感じさせない断熱カップが得られる。
（６）カップ全体が外装シュリンクフィルムにより被着される場合に、外装シュリンクフィルムを破り取ることが容易な開封性に優れた断熱カップが得られる。
【図面の簡単な説明】
【００２６】
【図１】本発明の第１の実施例に係る断熱カップの斜視図を示す。
【図２】図１に示す断熱カップの中央縦断面略図を示す。
【図３】図１に示す断熱カップに形成された糸尻の構成を示す断面拡大略図を示す。
【図４】図１に示す断熱カップを構成するインナーカップの正面図を示す。
【図５】図１に示す断熱カップを構成するインナーカップの中央縦端面略図を示す。
【図６】図４におけるＸ−Ｘ断面一部拡大端面略図を示す。
【図７】図４におけるＹ−Ｙ断面一部拡大端面略図を示す。
【図８】本発明の第２の実施例に係る断熱カップの中央縦断面略図を示す。
【図９】図８に示す断熱カップを構成するインナーカップの正面図を示す。
【図１０】図８に示す断熱カップを構成するインナーカップの中央縦端面略図を示す。
【図１１】比較例１の断熱カップの中央縦端面略図を示す。
【図１２】比較例１の断熱カップを構成するインナーカップの正面略図を示す。
【図１３】比較例２の断熱カップの中央縦端面略図を示す。
【図１４】比較例２の断熱カップを構成するアウターカップの正面図を示す。
【図１５】比較例２の断熱カップを構成するインナーカップの正面図を示す。
【発明を実施するための形態】
【実施例】
【実施例１】
【００２７】図１〜図３に本発明に係る断熱カップの第１の実施例を示す。また、図４〜図７にこの断熱カップを構成するインナーカップを示す。【００２８】これらの図において、断熱カップ１は、インナーカップ１０と、蓋材３０と、前記インナーカップの胴部に被装される紙製のスリーブ５０から構成されている。【００２９】インナーカップ１０は、ＰＰとＰＥのブレンドの熱可塑性樹脂シートにより成形されている。また、インナーカップ１０は、開口部１１を備えるとともに該開口部周縁にフランジ部１２が形成されている。【００３０】前記インナーカップ１０の胴部外周１０Ａにはエンボス部１３が形成されている（図４参照）。このエンボス部１３は、凸状菱形部１４を構成単位面とする複数個の同一形状の凸状菱形部１４，１４・・・を連続して形成し、インナーカップ胴部外周に隆起したパターンを形成して構成している。前記スリーブ５０をインナーカップ１０に被装した状態でインナーカップ１０の胴部外周１０Ａとスリーブ５０の胴部内周５０Ａとの間に空隙部１６，１６・・・が形成される。【００３１】前記凸状菱形部１４の中央に頂部１５が形成され、手で断熱カップ１の胴部を持つと頂部１５を備えたインナーカップ１０の当該胴部外周とスリーブ５０は点接触しインナーカップ１０よりスリーブ５０への熱伝導を少なく抑えこみ断熱に寄与する構成としている。前記インナーカップ１０の外周上縁部とスリーブ５０の内周上縁部は接着される。【００３２】前記蓋体３０は、前記フランジ部１２においてヒートシールされてインナーカップ１０を密閉する。【００３３】前記インナーカップ１０の外側には、前記のとおり、前記スリーブ５０が被装され、前記スリーブは板紙層を備え、該板紙層は外筒として前記インナーカップ１０に巻装して形成される。かくして、断熱カップ１の外周面への印刷による表現の制約がなく、販売者、内容物などの食品表示や商品のアピールなどの点で優れた断熱カップの形成が可能である。【００３４】前記スリーブ５０の下端部は内側に折り込まれ接着剤７０を配して一体化させてスリーブに折込み部５７が形成され、この折込み部の内周にインナーカップの側面下端外周が当接係合し、折込み部の内周とインナーカップの側面下端外周が当接係合した状態で折込み部により断熱カップに糸尻６０が形成されている（図３参照）。【００３５】断熱カップ１は透明な外装シュリンクフィルム８０により被着されている。【００３６】したがって、利用者がカップの胴部、糸尻のいずれを持っても触れる手に熱さを感じさせない断熱カップが得られるとともに、スリーブ５０の糸尻６０は深く形成することができるためカップ全体に被着される外装シュリンクフィルム８０を糸尻側から指などでひっかけて破り取ることが容易な開封性の良好な断熱カップが得られる。また、断熱カップ１に強い縦圧縮（フランジ部１２と糸尻６０との間に加えられる圧縮）の負荷かかってもインナーカップ１０の胴部に巻装された板紙層のスリーブ５０と、該スリーブの下部に形成された糸尻６０により、座屈に十分耐えうる構成となっているため圧縮強度の強い断熱カップが得られる
【実施例２】
【００３７】図８〜図１０に本発明に係る断熱カップの第２の実施例を示す。【００３８】実施例２に係る断熱カップ１０１は、
（１）インナーカップ１１０と、蓋材１３０と、インナーカップの胴部に被装される紙製のスリーブ１５０から構成されている点；
（２）インナーカップ１１０は、ＰＰとＰＥのブレンドの熱可塑性樹脂シートにより成形されている点；
（３）インナーカップ１１０は、開口部１１１を備えるとともに該開口部周縁にフランジ部１１２が形成されている点；
（４）スリーブ１５０をインナーカップ１１０に被装した状態でインナーカップ１１０の胴部外周１１０Ａとスリーブ１５０の胴部内周１５０Ａとの間に空隙部１１６，１１６・・・が形成されている点；
（５）インナーカップ１１０とスリーブ１５０とは接着している点；
（６）蓋体１３０は、フランジ部１１２においてヒートシールされてインナーカップ１１０を密閉している点；
（７）インナーカップ１１０の外側には、スリーブ１５０が被装され、スリーブはインナーカップ１１０に板紙層を巻装することにより形成されている点；
（８）スリーブ１５０の下端部を内側に折り込み接着剤１７０を配して一体化させてスリーブに折込み部１５７を形成し、折込み部の内周にインナーカップの側面下端外周を当接係合させ、折込み部の内周とインナーカップの側面下端外周が当接係合した状態で折込み部により断熱カップに糸尻１６０が形成されている点；
（９）断熱カップ１０１は透明な外装シュリンクフィルム１８０により被着されている点；
は第１の実施例と同じであるが、
（１０）インナーカップ１１０の胴部外周１１０Ａにはエンボス部が形成されていない点；
が第１の実施例と異なる。【００３９】したがって、この実施例２に係る断熱カップは、開口部が形成された樹脂製のインナーカップと、該インナーカップの胴部に被装するスリーブとを備えた断熱カップとして形成され、前記スリーブは前記インナーカップに板紙層を巻装することにより形成され、前記スリーブの下端部を内側に折り込み接着剤を配して一体化させて前記スリーブに折込み部を形成し、該折込み部の内周に前記インナーカップの側面下端外周を当接係合させ、前記折込み部の内周と前記インナーカップの側面下端外周が当接係合した状態で前記折込み部によりカップに糸尻が形成され、前記スリーブを前記インナーカップに被装した状態で前記インナーカップの胴部外周と前記スリーブの胴部内周との間に空隙部が形成される。【００４０】この実施例２によれば、前記インナーカップ１１０の外側には、前記スリーブ１５０が被装され、前記スリーブは板紙層を備え、該板紙層は外筒として前記インナーカップ１１０に巻装して形成され、断熱カップ１０１の外周面への印刷による表現の制約がなく、販売者、内容物などの食品表示や商品のアピールなどの点で優れた断熱カップの形成が可能である。【００４１】また実施例２によれば、利用者がカップの胴部、糸尻のいずれを持っても触れる手に熱さを感じさせない断熱カップが得られるとともに、スリーブ１５０の糸尻１６０は深く形成することができるためカップ全体に被着される外装シュリンクフィルム１８０を糸尻側から指などでひっかけて破り取ることが容易な開封性の良好な断熱カップが得られる。また、断熱カップ１０１に強い縦圧縮（フランジ部１１２と糸尻１６０との間に加えられる圧縮）の負荷かかってもインナーカップ１１０の胴部に巻装された板紙層のスリーブ１５０と、該スリーブの下部に形成された糸尻１６０により、座屈に十分耐えうる構成となっているため圧縮強度の強い断熱カップが得られる【００４２】［断熱カップの圧縮強度試験（座屈強度試験）および断熱性試験］
本発明に係る断熱カップ１，１０１と比較例１、比較例２の各断熱カップについて、次の試験方法により、圧縮強度試験（座屈強度試験）および断熱性試験を行った。【００４３】（比較例１：図１１、図１２参照）
断熱カップ２０１は、合成樹脂シートを成形してなるインナーカップ２１０と内側にエンボス加工を施したスリーブ（紙ラベル）２５０から構成され、インナーカップにスリーブを装着して二重容器とした断熱カップとして形成されている。インナーカップ２１０の底部周縁に糸尻２６０を形成し、糸尻２６０の内側に上向き傾斜部２９０を介して略平坦な凹陥部２９１が形成されている（特許文献２の図４参照）【００４４】（比較例２：図１３ないし図１５参照）
断熱カップ３０１は、ＰＳにより成形されたインナーカップ３１０とアウターカップ３５０を嵌合させた、ＰＳ２重構造のカップとして形成されている。インナーカップの胴部中央外周に深い溝を有する縦リブ３１８が形成されている。紙製の外筒は具備していない。【００４５】（圧縮強度試験（座屈強度試験）の測定方法）
断熱カップを圧縮強度測定機に縦置きにセットし、クロスヘッドスピードを５０ｍｍ／ｍｉｎに設定して縦荷重を加え、断熱カップが座屈したときの荷重を測定した。【００４６】（断熱性試験の測定方法）
断熱カップを治具に固定した状態で、断熱カップに一定量（３２０ミリリットル程度）の沸騰水を入れて蓋体を被せた。フォースゲージを用いて５Ｎの力で断熱カップを押さえた状態で温度計を起動させ測定を開始した。表面温度センサを一定の圧力で断熱カップの外筒の中央部に押し付け断熱カップの表面温度を測定した。測定開始から３分間のピーク値を測定し、３回同様の試験を行い、３回の平均値をカップ表面温度の測定値とした。【００４７】試験結果を表１に示す。
【表１】
2015081144.tif 000003
【符号の説明】
【００４８】    １      断熱カップ
１０      インナーカップ
１１      開口部
１２      フランジ部
１３      エンボス部
１４      凸状菱形部
１５      頂部
１６      空隙部
３０      蓋体
５０      スリーブ
５７      折込み部
６０      糸尻
７０      接着剤
８０      シュリンクフィルム
１０１      断熱カップ
１１０      インナーカップ
１１１      開口部
１１２      フランジ部
１１６      空隙部
１３０      蓋体
１５０      スリーブ
１５７      折込み部
１６０      糸尻
１７０      接着剤
１８０      シュリンクフィルム
【図１】
2015081144.tif 000004
【図２】
2015081144.tif 000005
【図３】
2015081144.tif 000006
【図４】
2015081144.tif 000007
【図５】
2015081144.tif 000008
【図６】
2015081144.tif 000009
【図７】
2015081144.tif 000010
【図８】
2015081144.tif 000011
【図９】
2015081144.tif 000012
【図１０】
2015081144.tif 000013
【図１１】
2015081144.tif 000014
【図１２】
2015081144.tif 000015
【図１３】
2015081144.tif 000016
【図１４】
2015081144.tif 000017
【図１５】
2015081144.tif 000018